(57)【要約】【課題】遊技店と遊技客との間でのトラブルを防止することを課題とする。【解決手段】遊技媒体貸出システム３において、ＣＲパチスロ機４０では、「遊技中にはＣＲパチスロ機４０のメダルホッパを賞メダルの払出しに専属させねばならない」というパチスロ機の構造上の理由からメダル貸しを規制するだけでなく、遊技客が所持メダルを使用して遊技を継続することができ、メダルを借り受ける必要がない状況（すなわち、遊技客に借受け意思がない状況）においても、メダル貸しを規制することができるようにしている。【選択図】        図２
2008104642.tif 000002
【特許請求の範囲】
【請求項１】
入賞及び貸出しに際して遊技媒体の供与制御を行うＣＲ遊技機と、遊技媒体貸出操作に応答して前記ＣＲ遊技機に遊技媒体貸出指示を行う貸出処理機とからなる遊技媒体貸出システムであって、
前記ＣＲ遊技機が特賞状態であるか否かを判定する特賞状態可否判定手段と、
前記特賞状態可否判定手段によって前記特賞状態であると判定された場合に、前記遊技媒体の貸出禁止措置を実行する禁止措置実行手段と
を備えたことを特徴とする遊技媒体貸出システム。
【請求項２】
前記遊技媒体貸出操作は、前記ＣＲ遊技機又は前記貸出処理機のいずれかに付設された貸出操作装置にて受け付けられる操作であって、
前記ＣＲ遊技機は、
当該ＣＲ遊技機が特賞状態であるか否かを判定する特賞状態可否判定手段と、
前記特賞状態可否判定手段によって前記特賞状態であると判定された場合に、前記遊技媒体貸出操作の受付を禁止するように前記貸出操作装置を制御するか、もしくは前記貸出処理機から前記遊技媒体貸出指示を受け付けても前記遊技媒体の供与制御を禁止するかのいずれかの貸出禁止措置を実行する禁止措置実行手段とを備えた
ことを特徴とする請求項１に記載の遊技媒体貸出システム。
【請求項３】
前記ＣＲ遊技機は、
当該ＣＲ遊技機が特賞状態であるか否かを判定する特賞状態可否判定手段と、
前記特賞状態可否判定手段によって前記特賞状態であると判定された場合に、前記貸出処理機に対して挿入中の遊技用記録媒体を返却するように指示する貸出禁止措置を実行する禁止措置実行手段とを備えた
ことを特徴とする請求項１に記載の遊技媒体貸出システム。
【請求項４】
前記遊技媒体貸出操作は、前記ＣＲ遊技機又は前記貸出処理機のいずれかに付設された貸出操作装置にて受け付けられる操作であって、
前記ＣＲ遊技機は、
当該ＣＲ遊技機が特賞状態であるか否かを判定する特賞状態可否判定手段と、
前記特賞状態可否判定手段によって前記特賞状態であると判定された場合に、当該ＣＲ遊技機が特賞状態にある旨を前記貸出処理機に通知する特賞状態通知手段とを備え、
前記貸出処理機は、
前記特賞状態通知手段により前記ＣＲ遊技機の特賞状態が通知された場合に、前記遊技媒体貸出操作の受付を禁止するように前記貸出操作装置を制御するか、もしくは前記貸出操作装置を通じて前記遊技媒体貸出要求を受け付けても前記遊技媒体貸出指示の実行を禁止するかのいずれかの貸出禁止措置を実行する禁止措置実行手段とを備えた
ことを特徴とする請求項１に記載の遊技媒体貸出システム。
【請求項５】
前記ＣＲ遊技機は、
当該ＣＲ遊技機が特賞状態であるか否かを判定する特賞状態可否判定手段と、
前記特賞状態可否判定手段によって前記特賞状態であると判定された場合に、当該ＣＲ遊技機が特賞状態にある旨を前記貸出処理機に通知する特賞状態通知手段とを備え、
前記貸出処理機は、
前記特賞状態通知手段により前記ＣＲ遊技機が特賞状態にある旨を通知された場合に、当該貸出処理機に挿入中の遊技用記録媒体を返却する貸出禁止措置を実行する禁止措置実行手段とを備えた
ことを特徴とする請求項１に記載の遊技媒体貸出システム。
【請求項６】
遊技媒体貸出操作を受け付ける貸出操作装置を通じて取得した遊技媒体貸出要求に応答して遊技媒体貸出指示を行う貸出処理機と通信可能に接続され、入賞及び貸出しに際して遊技媒体の供与制御を行う遊技機であって、
当該遊技機が特賞状態であるか否かを判定する特賞状態可否判定手段と、
前記特賞状態可否判定手段によって前記特賞状態であると判定された場合に、前記遊技媒体貸出操作の受付を禁止するように前記貸出操作装置を制御するか、もしくは前記貸出処理機から前記遊技媒体貸出指示を受け付けても前記遊技媒体の供与制御を禁止するかのいずれかの貸出禁止措置を実行する禁止措置実行手段と
を備えたことを特徴とする遊技機。
【請求項７】
遊技媒体貸出操作に応答して遊技媒体貸出指示を行う貸出処理機と通信可能に接続され、入賞及び貸出しに際して遊技媒体の供与制御を行う遊技機であって、
当該遊技機が特賞状態であるか否かを判定する特賞状態可否判定手段と、
前記特賞状態可否判定手段によって前記特賞状態であると判定された場合に、前記貸出処理機に対して挿入中の遊技用記録媒体を返却するように指示する貸出禁止措置を実行する禁止措置実行手段と
を備えたことを特徴とする遊技機。
【請求項８】
入賞及び貸出しに際して遊技媒体の供与制御を行う遊技機と通信可能に接続され、遊技媒体貸出操作を受け付ける貸出操作装置を通じて取得した遊技媒体貸出要求に応答して前記遊技機に遊技媒体貸出指示を行う貸出処理機であって、
前記遊技機の特賞状態または非特賞状態を検出する状態検出手段と、
前記状態検出手段により前記遊技機の特賞状態が検出された場合または前記遊技機の非特賞状態が検出されない場合に、前記遊技媒体貸出操作の受付を禁止するように前記貸出操作装置を制御するか、もしくは前記貸出操作装置を通じて前記遊技媒体貸出要求を受け付けても前記遊技媒体貸出指示の実行を禁止するかのいずれかの貸出禁止措置を実行する禁止措置実行手段と
を備えたことを特徴とする貸出処理機。
【請求項９】
入賞及び貸出しに際して遊技媒体の供与制御を行う遊技機と通信可能に接続され、遊技媒体貸出操作に応答して前記遊技機に遊技媒体貸出指示を行う貸出処理機であって、
前記遊技機の特賞状態または非特賞状態を検出する状態検出手段と、
前記状態検出手段により前記遊技機の特賞状態が検出された場合または前記遊技機の非特賞状態が検出されない場合に、当該貸出処理機に挿入中の遊技用記録媒体を返却する貸出禁止措置を実行する禁止措置実行手段と
を備えたことを特徴とする貸出処理機。
【請求項１０】
入賞及び貸出しに際して遊技媒体の供与制御を行うＣＲ遊技機と、遊技媒体貸出操作に応答して前記ＣＲ遊技機に遊技媒体貸出指示を行う貸出処理機とからなる遊技媒体貸出システムに用いる遊技媒体貸出方法であって、
前記ＣＲ遊技機が特賞状態であるか否かを判定する特賞状態可否判定工程と、
前記特賞状態可否判定工程によって前記特賞状態であると判定された場合に、前記遊技媒体の貸出禁止措置を実行する禁止措置実行工程と
を含んだことを特徴とする遊技媒体貸出方法。
【発明の詳細な説明】
【技術分野】
【０００１】
本発明は、入賞及び貸出しに際して遊技媒体の供与制御を行うＣＲ遊技機と、遊技媒体貸出操作に応答してＣＲ遊技機に遊技媒体貸出指示を行う貸出処理機とからなる遊技媒体貸出システム、遊技機、貸出処理機及び遊技媒体貸出方法に関する。
【背景技術】
【０００２】
従来より、パチンコ遊技やパチスロ遊技などの遊技を提供する遊技システムにおいて、遊技客は、パチンコ機やパチスロ機などの遊技機ごとに配設された玉貸し機やメダル貸し機などの遊技媒体貸出機からパチンコ玉やメダルなどの遊技媒体を借り受け、この遊技媒体を遊技機に打込又は投入して遊技を行っている。
【０００３】
かかる遊技媒体を貸し出すにあたっては、遊技媒体貸出機が併設される遊技機が「現金機」又は「ＣＲ機」のいずれであるかによって、貸出機内部から遊技媒体を投出する「現金機対応型」、並びに、遊技媒体の貸出指示を遊技機に行って遊技機内部から遊技媒体を投出させる「ＣＲ機対応型」の２タイプの貸出形態が採られている。なお、「ＣＲ機対応型」の遊技媒体貸出機については、ＣＲ遊技機と相互に通信可能なようにインターフェース接続される。
【０００４】
ここで、現行では、パチンコ業界においては「ＣＲ機」のパチンコ機、パチスロ業界においては「現金機」のパチスロ機が広範に普及しているが、近年では、パチスロ業界においても「ＣＲ機」のパチスロ機が主流となる傾向にあり、これに対応するものとして特許文献１に記載されるように、遊技者が借り受ける貸メダルをパチスロ機内のメダルホッパから投出させる「ＣＲ機対応型」の遊技媒体貸出機の登場が予想されている。
【０００５】
また、かかる「ＣＲ機」のパチスロ機（以下、これを適宜「ＣＲパチスロ機」と言う）においては、賞メダルの払出しだけでなく貸メダルの払い出しも内部のメダルホッパにて行うので、遊技中にはメダルホッパを賞メダルの払出しに専属させる必要がある。
【０００６】
これを背景にして、特許文献２では、ＣＲパチスロ機が遊技中である場合に、ＣＲパチスロ機に付設される貸出操作装置に対して貸出要求信号の出力禁止信号を送信することで、遊技客の押下操作を通じて貸出要求を受け付ける貸出ボタンを無効化し、遊技中の貸出操作を規制する遊技媒体貸出システムが提案されている。
【０００７】
【特許文献１】特開２００２−３２５８９０号公報
【特許文献２】特開２００３−１３５６７２号公報
【発明の開示】
【発明が解決しようとする課題】
【０００８】
しかしながら、上記した従来技術（特許文献１及び２）では、遊技客に借受け意思がなくとも誤操作で遊技媒体の貸出しが行われることとなり、遊技店と遊技客との間でトラブルが生じるという問題がある。
【０００９】
例えば、パチスロ遊技が行われている状況を例に挙げて上記の問題点を説明すると、レギュラーボーナスやビッグボーナスなどのボーナス消化中並びにボーナス消化直後には、遊技客は必然的に賞メダルを所持しており、パチスロ遊技を継続するにあたって新たな貸メダルを借受ける必要はない。
【００１０】
このように、遊技客に借受け意思がない状況であっても誤操作により貸出操作が為されると、上記した従来技術（特許文献１及び２）では、貸メダルを遊技客に払い出してしまうので、遊技客は、貸メダルを借り受ける必要がない状況で借り受けることとなり、加えて、ＣＲパチスロ機を含む「ＣＲ機」の遊技機では、賞メダルと貸メダルが同一の受け皿に払い出されるので、メダルの払出しが行われてもそれが賞メダル又は貸メダルであるのかを判別し難く、誤操作を自覚するのは困難であることから、遊技店による「貸出操作を行ったから貸した」という主張、遊技客による「賞メダルがあるのに借りるはずがない」という主張が平行線をたどり、両者のトラブルが避け得ない事態となってしまう。
【００１１】
このようなことから、いかにして遊技客に借受け意思がない状況下での遊技媒体の貸出しを規制するかが極めて重要な課題となっている。また。この課題は、単にＣＲパチスロ機及びメダル貸し機にとどまるものではなく、広く遊技媒体の貸出システムに共通するものである。
【００１２】
そこで、本発明は、上述した従来技術による課題（問題点）を解消するためになされたものであり、遊技客に借受け意思がない状況下での遊技媒体の貸出しを規制し、もって遊技店と遊技客との間でのトラブルを防止することができる遊技媒体貸出システム、遊技機、貸出処理機及び遊技媒体貸出方法を提供することを目的とする。
【課題を解決するための手段】
【００１３】
上述した課題を解決し、目的を達成するために、請求項１の発明に係る遊技媒体貸出システムは、入賞及び貸出しに際して遊技媒体の供与制御を行うＣＲ遊技機と、遊技媒体貸出操作に応答して前記ＣＲ遊技機に遊技媒体貸出指示を行う貸出処理機とからなる遊技媒体貸出システムであって、前記ＣＲ遊技機が特賞状態であるか否かを判定する特賞状態可否判定手段と、前記特賞状態可否判定手段によって前記特賞状態であると判定された場合に、前記遊技媒体の貸出禁止措置を実行する禁止措置実行手段とを備えたことを特徴とする。
【００１４】
また、請求項２の発明に係る遊技媒体貸出システムは、上記の発明において、前記遊技媒体貸出操作は、前記ＣＲ遊技機又は前記貸出処理機のいずれかに付設された貸出操作装置にて受け付けられる操作であって、前記ＣＲ遊技機は、当該ＣＲ遊技機が特賞状態であるか否かを判定する特賞状態可否判定手段と、前記特賞状態可否判定手段によって前記特賞状態であると判定された場合に、前記遊技媒体貸出操作の受付を禁止するように前記貸出操作装置を制御するか、もしくは前記貸出処理機から前記遊技媒体貸出指示を受け付けても前記遊技媒体の供与制御を禁止するかのいずれかの貸出禁止措置を実行する禁止措置実行手段とを備えたことを特徴とする。
【００１５】
また、請求項３の発明に係る遊技媒体貸出システムは、上記の発明において、前記ＣＲ遊技機は、当該ＣＲ遊技機が特賞状態であるか否かを判定する特賞状態可否判定手段と、前記特賞状態可否判定手段によって前記特賞状態であると判定された場合に、前記貸出処理機に対して挿入中の遊技用記録媒体を返却するように指示する貸出禁止措置を実行する禁止措置実行手段とを備えたことを特徴とする。
【００１６】
また、請求項４の発明に係る遊技媒体貸出システムは、上記の発明において、前記遊技媒体貸出操作は、前記ＣＲ遊技機又は前記貸出処理機のいずれかに付設された貸出操作装置にて受け付けられる操作であって、前記ＣＲ遊技機は、当該ＣＲ遊技機が特賞状態であるか否かを判定する特賞状態可否判定手段と、前記特賞状態可否判定手段によって前記特賞状態であると判定された場合に、当該ＣＲ遊技機が特賞状態にある旨を前記貸出処理機に通知する特賞状態通知手段とを備え、前記貸出処理機は、前記特賞状態通知手段により前記ＣＲ遊技機の特賞状態が通知された場合に、前記遊技媒体貸出操作の受付を禁止するように前記貸出操作装置を制御するか、もしくは前記貸出操作装置を通じて前記遊技媒体貸出要求を受け付けても前記遊技媒体貸出指示の実行を禁止するかのいずれかの貸出禁止措置を実行する禁止措置実行手段とを備えたことを特徴とする。
【００１７】
また、請求項５の発明に係る遊技媒体貸出システムは、上記の発明において、前記ＣＲ遊技機は、当該ＣＲ遊技機が特賞状態であるか否かを判定する特賞状態可否判定手段と、前記特賞状態可否判定手段によって前記特賞状態であると判定された場合に、当該ＣＲ遊技機が特賞状態にある旨を前記貸出処理機に通知する特賞状態通知手段とを備え、前記貸出処理機は、前記特賞状態通知手段により前記ＣＲ遊技機が特賞状態にある旨を通知された場合に、当該貸出処理機に挿入中の遊技用記録媒体を返却する貸出禁止措置を実行する禁止措置実行手段とを備えたことを特徴とする。
【００１８】
また、請求項６の発明に係る遊技機は、遊技媒体貸出操作を受け付ける貸出操作装置を通じて取得した遊技媒体貸出要求に応答して遊技媒体貸出指示を行う貸出処理機と通信可能に接続され、入賞及び貸出しに際して遊技媒体の供与制御を行う遊技機であって、当該遊技機が特賞状態であるか否かを判定する特賞状態可否判定手段と、前記特賞状態可否判定手段によって前記特賞状態であると判定された場合に、前記遊技媒体貸出操作の受付を禁止するように前記貸出操作装置を制御するか、もしくは前記貸出処理機から前記遊技媒体貸出指示を受け付けても前記遊技媒体の供与制御を禁止するかのいずれかの貸出禁止措置を実行する禁止措置実行手段とを備えたことを特徴とする。
【００１９】
また、請求項７の発明に係る遊技機は、遊技媒体貸出操作に応答して遊技媒体貸出指示を行う貸出処理機と通信可能に接続され、入賞及び貸出しに際して遊技媒体の供与制御を行う遊技機であって、当該遊技機が特賞状態であるか否かを判定する特賞状態可否判定手段と、前記特賞状態可否判定手段によって前記特賞状態であると判定された場合に、前記貸出処理機に対して挿入中の遊技用記録媒体を返却するように指示する貸出禁止措置を実行する禁止措置実行手段とを備えたことを特徴とする。
【００２０】
また、請求項８の発明に係る貸出処理機は、入賞及び貸出しに際して遊技媒体の供与制御を行う遊技機と通信可能に接続され、遊技媒体貸出操作を受け付ける貸出操作装置を通じて取得した遊技媒体貸出要求に応答して前記遊技機に遊技媒体貸出指示を行う貸出処理機であって、前記遊技機の特賞状態または非特賞状態を検出する状態検出手段と、前記状態検出手段により前記遊技機の特賞状態が検出された場合または前記遊技機の非特賞状態が検出されない場合に、前記遊技媒体貸出操作の受付を禁止するように前記貸出操作装置を制御するか、もしくは前記貸出操作装置を通じて前記遊技媒体貸出要求を受け付けても前記遊技媒体貸出指示の実行を禁止するかのいずれかの貸出禁止措置を実行する禁止措置実行手段とを備えたことを特徴とする。
【００２１】
また、請求項９の発明に係る貸出処理機は、入賞及び貸出しに際して遊技媒体の供与制御を行う遊技機と通信可能に接続され、遊技媒体貸出操作に応答して前記遊技機に遊技媒体貸出指示を行う貸出処理機であって、前記遊技機の特賞状態または非特賞状態を検出する状態検出手段と、前記状態検出手段により前記遊技機の特賞状態が検出された場合または前記遊技機の非特賞状態が検出されない場合に、当該貸出処理機に挿入中の遊技用記録媒体を返却する貸出禁止措置を実行する禁止措置実行手段とを備えたことを特徴とする。
【００２２】
また、請求項１０の発明に係る遊技媒体貸出方法は、入賞及び貸出しに際して遊技媒体の供与制御を行うＣＲ遊技機と、遊技媒体貸出操作に応答して前記ＣＲ遊技機に遊技媒体貸出指示を行う貸出処理機とからなる遊技媒体貸出システムに用いる遊技媒体貸出方法であって、前記ＣＲ遊技機が特賞状態であるか否かを判定する特賞状態可否判定工程と、前記特賞状態可否判定工程によって前記特賞状態であると判定された場合に、前記遊技媒体の貸出禁止措置を実行する禁止措置実行工程とを含んだことを特徴とする。
【発明の効果】
【００２３】
本発明によれば、ＣＲ遊技機が特賞状態であるか否かを判定し、特賞状態であると判定した場合に、遊技媒体の貸出禁止措置を実行することとしたので、遊技客に借受け意思がない状況下でのメダルの貸出しを規制することができ、遊技店と遊技客との間でのトラブルを防止することが可能な遊技媒体貸出システム及び遊技媒体貸出方法が得られるという効果を奏する。
【００２４】
また、本発明によれば、ＣＲ遊技機が、当該ＣＲ遊技機が特賞状態であるか否かを判定し、特賞状態であると判定した場合に、遊技媒体貸出操作の受付を禁止するように貸出操作装置を制御するか、もしくは貸出処理機から遊技媒体貸出指示を受け付けても遊技媒体の供与制御を禁止するかのいずれかの貸出禁止措置を実行することとしたので、遊技客に借受け意思がない状況下での遊技媒体貸出操作を無効化することができ、遊技店と遊技客との間でのトラブルを防止することが可能な遊技媒体貸出システムが得られるという効果を奏する。
【００２５】
また、本発明によれば、ＣＲ遊技機が、当該ＣＲ遊技機が特賞状態であるか否かを判定し、特賞状態であると判定した場合に、貸出処理機に対して挿入中の遊技用記録媒体を返却するように指示する貸出禁止措置を実行することとしたので、遊技客に借受け意思がない状況下での遊技媒体貸出操作を無効化することができ、遊技店と遊技客との間でのトラブルを防止することが可能な遊技媒体貸出システムが得られるという効果を奏する。
【００２６】
また、本発明によれば、ＣＲ遊技機が、当該ＣＲ遊技機が特賞状態であるか否かを判定し、特賞状態であると判定した場合に、当該ＣＲ遊技機が特賞状態にある旨を貸出処理機に通知し、貸出処理機が、ＣＲ遊技機の特賞状態が通知された場合に、遊技媒体貸出操作の受付を禁止するように貸出操作装置を制御するか、もしくは貸出操作装置を通じて遊技媒体貸出要求を受け付けても遊技媒体貸出指示の実行を禁止するかのいずれかの貸出禁止措置を実行することとしたので、遊技客に借受け意思がない状況下での遊技媒体貸出操作を無効化することができ、遊技店と遊技客との間でのトラブルを防止することが可能な遊技媒体貸出システムが得られるという効果を奏する。
【００２７】
また、本発明によれば、ＣＲ遊技機が、当該ＣＲ遊技機が特賞状態であるか否かを判定し、特賞状態であると判定した場合に、当該ＣＲ遊技機が特賞状態にある旨を貸出処理機に通知し、貸出処理機が、ＣＲ遊技機が特賞状態にある旨を通知された場合に、当該貸出処理機に挿入中の遊技用記録媒体を返却する貸出禁止措置を実行することとしたので、遊技客に借受け意思がない状況下での遊技媒体貸出操作を無効化することができ、遊技店と遊技客との間でのトラブルを防止することが可能な遊技媒体貸出システムが得られるという効果を奏する。
【００２８】
また、本発明によれば、当該遊技機が特賞状態であるか否かを判定し、特賞状態であると判定した場合に、遊技媒体貸出操作の受付を禁止するように貸出操作装置を制御するか、もしくは貸出処理機から遊技媒体貸出指示を受け付けても遊技媒体の供与制御を禁止するかのいずれかの貸出禁止措置を実行することとしたので、遊技客に借受け意思がない状況下での遊技媒体貸出操作を無効化することができ、遊技店と遊技客との間でのトラブルを防止することが可能な遊技機が得られるという効果を奏する。
【００２９】
また、本発明によれば、当該遊技機が特賞状態であるか否かを判定し、特賞状態であると判定した場合に、貸出処理機に対して挿入中の遊技用記録媒体を返却するように指示する貸出禁止措置を実行することとしたので、遊技客に借受け意思がない状況下での遊技媒体貸出操作を無効化することができ、遊技店と遊技客との間でのトラブルを防止することが可能な遊技機が得られるという効果を奏する。
【００３０】
また、本発明によれば、遊技機の特賞状態または非特賞状態を検出し、遊技機の特賞状態が検出された場合または遊技機の非特賞状態が検出されない場合に、遊技媒体貸出操作の受付を禁止するように貸出操作装置を制御するか、もしくは貸出操作装置を通じて遊技媒体貸出要求を受け付けても遊技媒体貸出指示の実行を禁止するかのいずれかの貸出禁止措置を実行することとしたので、遊技客に借受け意思がない状況下での遊技媒体貸出操作を無効化することができ、遊技店と遊技客との間でのトラブルを防止することが可能な貸出処理機が得られるという効果を奏する。
【００３１】
また、本発明によれば、遊技機の特賞状態または非特賞状態を検出し、遊技機の特賞状態を検出した場合または遊技機の非特賞状態を検出していない場合に、当該貸出処理機に挿入中の遊技用記録媒体を返却する貸出禁止措置を実行することとしたので、遊技客に借受け意思がない状況下での遊技媒体貸出操作を無効化することができ、遊技店と遊技客との間でのトラブルを防止することが可能な貸出処理機が得られるという効果を奏する。
【発明を実施するための最良の形態】
【００３２】
以下の添付図面を参照して、本発明に係る遊技媒体貸出システム（遊技媒体貸出方法）、遊技機及び貸出処理機の好適な実施例を詳細に説明する。なお、以下では、本発明に係る遊技媒体貸出システム（本実施例では、一例として、「メダル貸しシステム」を例に挙げる）を実施例１〜４として説明した後に、本発明に含まれる他の実施例を実施例５として説明する。なお、本実施例では、本発明をパチスロ遊技を対象とする遊技システムに適用する例を説明するが、パチンコ遊技を対象としてさらに含めた遊技システム又はパチンコ遊技のみを対象とする遊技システムにも本発明を同様に適用することができる。
【実施例１】
【００３３】
以下の実施例１では、本実施例１に係るメダル貸しシステムの概要および特徴、このメダル貸しシステムを構成する各装置の構成および処理の流れを順に説明する。
【００３４】
［概要および特徴（実施例１）］
まず最初に、図１及び図２を用いて、実施例１に係るメダル貸しシステムを含む遊技システムのシステム構成を説明し、この遊技システムにおけるメダル貸しシステムの位置付けを明確にしてから、実施例１に係るメダル貸しシステムの概要および特徴を説明する。図１は、実施例１に係る遊技システムのシステム構成を示すシステム構成図であり、また、図２は、実施例１に係るメダル貸しシステムの特徴を説明するための概念図である。
【００３５】
図１に示すように、遊技店内に設置される遊技システム１は、プリペイドカードに関連付けられた度数の残数を管理するための管理装置、ターミナルコントローラ（以下、プリペイドカード管理Ｔ／Ｃと称す）１０を頂点にして、「島」と呼ばれるグループごとに設けられた島コントローラ２０及びカード発行機５５が接続された構成となる。さらに、島コントローラ２０には、各島に設置された複数のＣＲパチスロ機４０それぞれに併設されたカード処理ユニット（以下、これを適宜「ＣＲユニット」と称す）３０が接続されている。なお、かかる「ＣＲユニット」は、特許請求の範囲に記載の「貸出処理機」に相当する。
【００３６】
この遊技システム１では、プリペイドカードＰＣ（ＣＲユニット３０及びカード発行機５５により遊技者に対して発行され、発行店の識別情報、カード固有の識別コード、発行額、カード種別などが記録される）を遊技用記録媒体として用いることができる。
【００３７】
ＣＲユニット３０は、プリペイドカードＰＣに関連付けられた度数の残数（以下、残度数と言う）を上限としてメダルの貸出し処理を行うことを主機能とするものであり、遊技店に設置された複数のＣＲパチスロ機４０それぞれに対して１台ずつペアとなるように用意され、ＣＲパチスロ機４０の相互間に挟まれる形で設置されており、これら両者は、「現金機」であるパチスロ機とは相違し、相互に通信可能なようにインターフェース接続されている。
【００３８】
ＣＲパチスロ機４０は、遊技客による遊技操作に応答して、入賞役の抽選、リール駆動、リール停止制御及び賞メダルの供与制御を行うパチスロ機であるが、本実施例１のように、「ＣＲ機」であるＣＲパチスロ機４０では、賞メダルに加えて貸メダルの供与制御を行う。なお、ここで言う「供与制御」とは、遊技客に物理的または電子的にメダルを供与するための制御を指し、例えば、ＣＲパチスロ機４０内のメダルホッパからのメダル投出制御やクレジットへのクレジット加算制御などを指す。また、「クレジット」とは、メダルの投入や入賞によるメダルの払出しが生じた場合に通常５０枚を上限としてパチスロ機内部にてその払出し枚数を記憶する機構であり、その枚数分のメダルを預かるとともに、当該枚数分のメダルの投出を保証しており、遊技投資操作を受け付けるＢＥＴ操作によって人手によるメダル投入と同様の機能を果たさせる機能を有する。
【００３９】
また、貸出操作装置５０は、遊技客による貸出要求を受け付けるための操作装置であり、ＣＲパチスロ機４０に付設されている。具体的には、貸出ボタン５０３の押下を通じてメダル貸し操作を受け付けることを主機能とするものである。なお、このようにして受け付けた「メダル貸し操作」は、遊技客による「メダル貸し要求」としてＣＲユニット３０に転送される。
【００４０】
カード発行機５５は、現金が入金された場合に、該入金金額に応じた有価価値（度数）が関連付けられるプリペイドカードＰＣの発行処理並びにプリペイドカードＰＣに関連付けられた度数に対する加算処理を主機能とするものである。
【００４１】
プリペイドカード管理Ｔ／Ｃ１０は、プリペイドカードの識別情報（プリペイドカードＩＤ）及びこのプリペイドカードの残度数を記憶管理する装置である。例えば、ＣＲユニット３０にて高額紙幣が挿入された場合には、ＣＲユニット３０から発行対象となる内蔵カードのプリペイドカードＩＤとともに挿入紙幣の金額を受け付け、当該プリペイドカードＩＤに挿入紙幣分の金額を価値付けた後、ＣＲユニット３０に「価値付け完了通知」を返信する。なお、本実施例では、カードに記録したデータを改ざんするなどの不正行為を防止する観点から、プリペイドカードには「度数」を記録せず、プリペイドカードＩＤのみを記録する構成を採用することとする。
【００４２】
この遊技システム１は、メダル貸しに携わるシステムとして、賞メダル及び貸メダルの供与制御を行うＣＲパチスロ機４０と、メダル貸し操作に応答してＣＲパチスロ機４０にメダル貸し指示を行うＣＲユニット３０とからなるメダル貸しシステム３を内包している。
【００４３】
ここで、本実施例１に係るメダル貸しシステム３において、ＣＲパチスロ機４０は、当該ＣＲパチスロ機４０が特賞状態（ビッグボーナス又はレギュラーボーナスなどのボーナスが作動している状態）であるか否かを判定し、特賞状態であると判定した場合に、ＣＲユニット３０からメダル貸し指示を受け付けても貸メダルの供与制御を禁止する貸出禁止措置を実行する点に主たる特徴があり、かかる一連の処理によって、遊技客に借受け意思がない状況下でのメダルの貸出しを規制し、もって遊技店と遊技客との間でのトラブルを防止することができるようにしている。
【００４４】
すなわち、実施例１に係るＣＲパチスロ機４０では、「遊技中にはＣＲパチスロ機４０のメダルホッパを賞メダルの払出しに専属させねばならない」というパチスロ機の構造上の理由からメダル貸しを規制するだけでなく、遊技客が所持メダルを使用して遊技を継続することができ、メダルを借り受ける必要がない状況（すなわち、遊技客に借受け意思がない状況）においても、メダル貸しを規制することができるようにしている。
【００４５】
この主たる特徴を図２を用いて具体的に説明すると、ＣＲパチスロ機４０に付設された貸出操作装置５０では、遊技客による「メダル貸し操作」を受け付けると（１）、それを「メダル貸し要求」としてＣＲユニット３０に転送し（２）、この「メダル貸し要求」を受け付けたＣＲユニット３０では、挿入中のプリペイドカードの残度数から所定分の度数（例えば、１回の貸出操作で貸し出される度数を「１０度数」とする）を減算し、その減算度数分について「メダル貸し指示」をＣＲパチスロ機４０に行う（３）。なお、当然のことながら、ＣＲユニット３０に残度数があるプリペイドカードが挿入されてない場合には、メダル貸しと引き換えに得るべき対価がないので、貸出操作装置５０においては、貸出ボタンの押下操作を検出するスイッチが非通電状態に置かれ、メダル貸し操作を受け付けてもメダル貸し要求が転送されないように制御されており、ＣＲパチスロ機４０への「メダル貸し指示」は実行されない。
【００４６】
一方、ＣＲパチスロ機４０では、ＣＲユニット３０から「メダル貸し指示」を受け付けると、当該ＣＲパチスロ機４０が特賞状態であるか否かを判定し（４）、特賞状態ではないと判定した場合には、貸メダルの供与制御を行うが（５）、特賞状態であると判定した場合には、ＣＲユニット３０からの「メダル貸し指示」を無視する。具体的には、ビッグボーナス（以下、これを適宜「ＢＢ」と言う）又はレギュラーボーナス（以下、これを「ＲＢ」と言う）が作動しているか否かを判定し、ＢＢ及びＲＢのいずれもが作動していないと判定した場合には、内部のメダルホッパから貸メダルを受け皿４０９に投出するように制御し、ＢＢ又はＲＢのいずれかが作動していると判定した場合には、ＣＲユニット３０からの「メダル貸し指示」を無視する。
【００４７】
また、ＣＲユニット３０では、ＣＲパチスロ機４０にて「メダル貸し指示」が無視され、ＣＲパチスロ機４０から「メダル貸し完了通知」が得られない場合には、貸メダルの供与が果たされたことが確認できないので、プリペイドカードから減算した分の度数を当該プリペイドカードに再加算するようにプリペイドカード管理Ｔ／Ｃ１０に依頼する。
【００４８】
このように、ＣＲパチスロ機４０が特賞状態である場合にＣＲユニット３０からメダル貸し指示を受け付けても貸メダルの供与制御を禁止する貸出禁止措置を実行することで、遊技客が特賞により獲得した賞メダルを所持しており、新たにメダルを借り受ける必要がない状況において誤操作によるメダル貸し操作を行ったとしても、そのメダル貸し操作を無効化することができる。
【００４９】
したがって、本実施例１に係るメダル貸しシステム３によれば、ＣＲパチスロ機４０が特賞状態であるか否かを判定し、特賞状態であると判定した場合に、ＣＲユニット３０からメダル貸し指示を受け付けても貸メダルの供与制御を禁止する貸出禁止措置を実行するので、遊技客に借受け意思がない状況下でのメダル貸し操作を無効化することができ、上記した主たる特徴のように、遊技店と遊技客との間でのトラブルを防止することが可能になる。
【００５０】
さらに、本実施例１に係るメダル貸しシステム３によれば、メダル貸しを規制するに際して、ＣＲユニット３０からメダル貸し指示を受け付けてもそのメダル貸し指示を無視する構成を採用したので、ＣＲユニット並びに貸出操作装置のハードウェア構成及びソフトウェア構成を改変することなく、遊技客によるメダル貸し操作を無効化することができる。
【００５１】
［メダル貸しシステム３の構成］
続いて、実施例１に係るＣＲユニット３０及びＣＲパチスロ機４０の構成並びに機能を説明する。図３は、実施例１に係るＣＲユニット３０及びＣＲパチスロ機４０の外観を示した正面図である。
【００５２】
図３に示すように、ＣＲユニット３０は、縦長の直方体型の筐体として構成したもので、その前面パネルには、カードランプ３０１、現金ランプ３０２、紙幣挿入口３０３、返却レバー３０４、種別ランプ３０５、７ＳＥＧ表示部３０６、設定ボタン３０７及びカード挿入口３０８が設けられている。
【００５３】
カードランプ３０１および現金ランプ３０２は、制御部３８からの制御信号に基づいて点灯し、プリペイドカードおよび現金の受け付け可能状態を遊技者に報知するためのものである。紙幣挿入口３０３は、紙幣を受け入れてこれを紙幣処理部（ＢＶユニット部）３４に取り込むための開口である。なお、このＢＶユニット部３４は、取り込まれた紙幣の金種を識別し、この識別結果を制御部３８に与えるとともに、取り込んだ紙幣を島端回収ボックスに搬出させるべく紙幣搬送路へ導出する。
【００５４】
返却レバー３０４は、投入した貨幣を返却するためのものである。種別ランプ３０５は、貸し出す遊技媒体の種類、つまりパチンコ玉およびメダルのいずれを貸し出すかを点灯表示するためのものである。ここではＣＲパチスロ機４０の台間に配設されているのでメダルの点灯表示がなされる。
【００５５】
７ＳＥＧ表示部３０６は、７セグメントのＬＥＤから形成される表示部であり、ＣＲパチスロ機４０に付設される貸出操作装置５０にてメダル貸し操作が１回行われるごとに貸し出されるメダルの枚数表示を行う。設定ボタン３０７は、メダル貸し操作が１回行われるごとに貸し出されるメダルの枚数（貸出単位）を利用者が設定するためのものである。
【００５６】
カード挿入口３０８は、プリペイドカードを受け入れてこれを後述するカードリーダ（Ｃ／Ｒ３５）３５に取り込むための開口である。このＣ／Ｒ３５は、取り込んだカードを読み取り、その読み取り結果を制御部３８に与える処理を行う。
【００５７】
一方、ＣＲパチスロ機４０は、貨幣もしくはプリペイドカードを使って借り受けたメダルを用いて遊技を行うパチスロ機であり、図３に示すように、メダル投入口４０１と、スタートレバー４０２と、３つのリール４０３〜４０５と、各リールの回転をストップさせるストップボタン４０６〜４０８と、ＣＲパチスロ機４０又はＣＲユニット３０から払い出される賞メダルおよび貸メダルを受け入れる受け皿４０９と、１枚掛け用及び３枚掛け用のクレジット投入ボタン（ＢＥＴボタン）４１０及び４１１と、３つのリール４０３〜４０５の図柄が揃った際に払出すメダル数が表示される払出し表示部４１２と、クレジット数を表示するクレジット表示部４１３と、ＢＥＴ受付枚数を表示するＢＥＴ受付枚数表示部４１４と、パチスロ遊技に関する各種演出などを表示する液晶パネル４６ａとを備える。
【００５８】
このＣＲパチスロ機４０では、メダル投入口４０１に１〜３枚のメダルを投入してスタートレバー４０２を操作すると、３つのリール４０３〜４０５がそれぞれ回転し、各リールのストップボタン４０６〜４０８を押下すると、それぞれのリール４０３〜４０５の回転が停止する。また、クレジット表示部４１３にメダル枚数が残っている場合には、ＢＥＴボタン４１０又は４１１を押下し、スタートレバー４０２を操作すると、メダル投入口４０１に３枚のメダルを投入してスタートレバー４０２を操作した場合と同様に、３つのリール４０３〜４０５がそれぞれ回転する。なお、３枚のメダルを投入してゲームを行う３枚掛けの場合には横３列および斜め２列の合計５列が対象となり、通常は、この有効ラインが５列となる３枚掛けでパチスロ遊技が行なわれる。
【００５９】
そして、３つのリール４０３〜４０５の対象領域に一定の図柄が揃うと、払出し表示部４１２に図柄の種類に応じた払出しメダル枚数（獲得メダル枚数）が表示されるとともに、この表示された枚数のメダルが払い出される。具体的には、このメダルは直ちに受け皿４０９に払い出されるわけではなく、クレジットとして内部保留され、クレジット表示部４１３の表示内容がメダル枚数分だけ加算される。
【００６０】
また、ＣＲパチスロ機４０には、後述するＩＦ部４３を通じて、メダル貸し操作を受け付けることを主機能とする貸出操作装置５０が付設されており、この貸出操作装置５０は、図３に示すように、ＣＲユニット３０に挿入中のプリペイドカードの残度数を表示する残度数表示部５０１と、メダル貸し要求を受け付ける貸出ボタン５０２と、プリペイドカード返却要求を受け付ける返却ボタン５０３とを備える。
【００６１】
次に、図３に示したＣＲユニット３０の内部構成について説明する。図４は、図３に示したＣＲユニット３０の内部構成を示す機能ブロック図である。同図に示すように、このＣＲユニット３０は、操作部３１と、表示部３２と、ＩＦ部３３と、ＢＶユニット部３４と、カードリーダ（Ｃ／Ｒ）３５と、カード収納部３６と、搬送／繰出機構部３７と、制御部３８とを有する。
【００６２】
操作部３１は、図３に示した各種ボタン群、返却レバー３０４や設定ボタン３０７などの総称である。表示部３２は、カードランプ３０１、現金ランプ３０２及び７ＳＥＧ表示部３０６などの総称である。
【００６３】
ＩＦ部３３は、当該ＣＲユニット３０と他の装置（例えば、プリペイドカード管理Ｔ／Ｃ１０、島コントローラ２０及びＣＲパチスロ機４０などの装置）の間で各種通信の制御を行う処理部である。
【００６４】
ＢＶユニット部３４は、紙幣挿入口３０３に挿入された紙幣の金種を識別する紙幣識別機であり、識別した挿入紙幣の金種を制御部３８に出力する。なお、挿入紙幣が偽造紙幣である場合には、当該紙幣を返却する。
【００６５】
Ｃ／Ｒ３５は、カード挿入口３０８に挿入されたプリペイドカードや会員カードなどの各種カードに記録された情報を読み込むカードリーダであり、具体的には、これら各種カードからプリペイドカードの識別情報や会員カードの識別情報を読み込み、該読み込んだ情報を制御部３８に出力する。
【００６６】
カード収納部３６は、残度数が価値付けられていないプリペイドカードを収納する収納部であり、遊技客がプリペイドカードを持参していなくとも現金により遊技可能にするため、事前に複数枚のプリペイドカードを収納したものである。例えば、遊技客によって紙幣が挿入されると、複数枚のプリペイドカードのうちの一枚がＣ／Ｒ３５の位置に繰り出され、現金による度数関連付けの対象とされる。
【００６７】
搬送／繰出機構部３７は、各種カードの搬送／繰出を行う機構部である。具体的には、カード挿入口３０８から挿入されたプリペイドカードをＣ／Ｒ３５に搬送したり、Ｃ／Ｒ３５内に保持されたプリペイドカードをカード収納部３６に搬送したり、また、カード収納部３６に収納された内蔵プリペイドカードをＣ／Ｒ３５に繰り出したり、Ｃ／Ｒ３５に保持されたプリペイドカードをカード挿入口３０８に繰り出したりする。
【００６８】
制御部３８は、ＣＲユニット３０の全体制御を司る制御部であり、特に本発明に関連するものとしては、メダル貸し処理部３８ａを備える。
【００６９】
メダル貸し処理部３８ａは、メダル貸し操作に応答して貸メダルのメダル貸し指示をＣＲパチスロ機４０に行う処理部であり、ＣＲパチスロ機４０に付設された貸出操作装置５０を通じてメダル貸し操作を受け付けると、挿入中のプリペイドカードの残度数から所定分の度数（例えば、１回の貸出操作で貸し出される度数を「１０度数」とする）を減算し、その減算度数分についてメダル貸し指示をＣＲパチスロ機４０に行う。なお、本実施例１では、ＣＲユニット３０及びＣＲパチスロ機４０の間において、１回のメダル貸し指示につき１度数分のメダル「５枚」の供与が行われるように規定されており、例えば、「１０度数」分のメダルの貸出しを行う場合には、ＣＲユニット３０からＣＲパチスロ機４０に対して計１０回のメダル貸し指示が行われることとなる。
【００７０】
次に、図３に示したＣＲパチスロ機４０の内部構成を説明する。図５は、図３に示したＣＲパチスロ機４０の内部構成を示す機能ブロック図である。同図に示すように、このＣＲパチスロ機４０は、操作部４１と、表示部４２と、ＩＦ部４３と、リール駆動部４４と、メダルホッパ４５ａと、ホッパ駆動部４５ｂと、副制御部４６と、液晶パネル４６ａと、スピーカ４６ｂと、記憶部４７と、主制御部４８とを有する。
【００７１】
このうち、操作部４１は、図３に示したスタートレバー４０２、ストップボタン４０６〜４０８、ＢＥＴボタン４１０及び４１１、貸出ボタン５０２及び返却ボタン５０３の総称である。表示部４２は、副制御部４６に帰属した各種演出に係る表示を行う液晶パネル４６ａを除く、払出し表示部４１２、クレジット表示部４１３、ＢＥＴ受付枚数表示部４１４及び残度数表示部５０１の総称である。
【００７２】
ＩＦ部４３は、ＣＲユニット３０とデータ通信するためのインターフェースであり、リール駆動部４４は、左リール４０３、中リール４０４及び右リール４０５の回転駆動及び停止制御を行う処理部である。また、メダルホッパ４５ａは、内部にメダルを貯留するホッパであり、さらに、ホッパ駆動部４５ｂは、メダルホッパ４５ａを駆動制御する処理部である。
【００７３】
副制御部４６は、主制御部４８からの出力をもとにパチスロ遊技に関する各種演出の制御を行う処理部であり、具体的には、主制御部４８の遊技制御部４８ａから入賞役の抽選結果が入力されると、この抽選結果（例えば、ハズレ、小役の当選、ボーナスの当選）に応じて各種演出を選択し、選択された演出を操作部４１の操作タイミングに合わせて液晶パネル４６ａ及びスピーカ４６ｂに出力させる。なお、本実施例１では、副制御部４６が主制御部４８に対して制御指令や情報などを入力することはなく、主制御部４８から副制御部４６への一方向で通信が行われる。
【００７４】
記憶部４７は、主制御部４８による各種処理に必要なデータ（例えば、設定データ、クレジット数やＢＥＴ受付枚数などのデータ）およびプログラム（遊技プログラム）を記憶する記憶デバイスであり、本発明に関連する情報としては、ＢＢが作動中であるか否かを表す「ＢＢ作動中フラグ」及びＲＢが作動中であるか否かを表す「ＲＢ作動中フラグ」のＯＮ状態／ＯＦＦ状態をボーナス作動中フラグ情報４７ａとして記憶している。
【００７５】
主制御部４８は、ＣＲパチスロ機４０全体を制御する制御部であり、特に本発明に密接に関連するものとしては、遊技制御部４８ａ、特賞状態可否判定部４８ｂ及び貸メダル供与制御部４８ｃを備える。
【００７６】
このうち、遊技制御部４８ａは、操作部４１における遊技操作に基づいて、入賞役の抽選、リールの回転駆動、リールの停止制御及び賞メダルの供与制御を行うことを主機能とするものである。
【００７７】
より具体的には、単位遊技（１ゲーム）に必要な枚数のメダルがＢＥＴされた状態でスタートレバー４０２の操作を受け付けると（遊技開始条件が満たされると）、所定のハードウェア又はソフトウェアを用いて乱数を抽出し、その乱数に該当する内部当選役を決定する「抽選処理」を行うとともに、３つのリール４０３〜４０５それぞれをリール駆動部４４を通じて回転駆動させ、その後、各リールのストップボタン４０６〜４０８の押下操作を受け付けると、押下操作を受け付けたストップボタンに対応するリール４０３、４０４又は４０５を停止させる停止制御を行う。なお、この停止制御は、「抽選処理」にて決定された内部当選役（ハズレを含む）以外が有効ライン上に成立しないようにリール４０３、４０４及び４０５の停止制御を行う。
【００７８】
このとき、３つのリール４０３〜４０５の対象領域に一定の図柄が揃うと（入賞役が成立すると）、払出し表示部４１２に入賞役の種類に応じた払出しメダル枚数が表示させるとともに、この表示された枚数の賞メダルをホッパ駆動部４５ｂを通じてメダルホッパ４５ａから投出させる。なお、３つのリール４０３〜４０５の対象領域に一定の図柄が揃わなかった場合（入賞役が成立しなかった場合）には、メダルが払い出されることなく、そのまま遊技が終了される。
【００７９】
ここで、今回のゲームにおいてＢＢ又はＲＢが成立した場合（すなわち、現時点でＢＢ作動中フラグ及びＲＢ作動中フラグがＯＦＦ状態であり、今回のゲームにてＢＢ又はＲＢの図柄が揃った場合）には、記憶部４７におけるＢＢ作動中フラグ又はＲＢ作動中フラグをＯＮ状態に更新する。一方、前回のゲームまでにＢＢ又はＲＢが作動している場合（すなわち、現時点でＢＢ作動中フラグ又はＲＢ作動中フラグがＯＮ状態である場合）には、ＢＢ又はＲＢが終了したか否かを判定し、その結果、ＢＢ又はＲＢが終了した場合には、記憶部４７におけるＢＢ作動中フラグ又はＲＢ作動中フラグをＯＦＦ状態に更新する。
【００８０】
このように、ＢＢ作動中フラグ又はＲＢ作動中フラグのＯＮ状態／ＯＦＦ状態を更新することで、ＣＲパチスロ機４０が特賞状態であるか否かを判別することができるようにしている。
【００８１】
また、遊技制御部４８ａは、遊技状態において上述した一連の処理（遊技制御処理）を行う他、非遊技状態においては、メダル投入口４０１を介したメダルの投入操作、又は、ＢＥＴボタン４１０又は４１１の押下操作を通じて、単位遊技（１ゲーム）に必要な枚数のＢＥＴを受け付けるＢＥＴ受付処理も行う。
【００８２】
特賞状態可否判定部４８ｂは、当該ＣＲパチスロ機４０が特賞状態であるか否かを判定する処理部である。具体的には、ＣＲユニット３０から「メダル貸し指示」を受け付けた場合に、記憶部４７に記憶されているＢＢ作動中フラグ又はＲＢ作動中フラグがＯＮ状態であるか否かを判定する。なお、ＣＲパチスロ機４０が遊技状態である場合には、既に説明した理由（ＣＲパチスロ機４０のメダルホッパを賞メダルの払出しに専属させる必要があること）から、既存のものと同様にメダル貸しの規制が行われるので、本実施例１では、非遊技状態時にＣＲユニット３０から「メダル貸し指示」を受け付けた場合に特賞状態の可否判定を行うこととする。
【００８３】
貸メダル供与制御部４８ｃは、ＣＲユニット３０からのメダル貸し指示に応答して貸メダルの供与制御を行う処理部である。具体的には、特賞状態可否判定部４８ｂによってＢＢ作動中フラグ及びＲＢ作動中フラグがＯＦＦ状態であると判定された場合（ＢＢ及びＲＢのいずれもが作動していない場合）には、１度数分の貸メダル「５枚」をホッパ駆動部４５ｂを通じてメダルホッパ４５ａから投出させ、また、ＢＢ作動中フラグ又はＲＢ作動中フラグがＯＮ状態であると判定された場合（ＢＢ又はＲＢのいずれかが作動している場合）には、ＣＲユニット３０からの「メダル貸し指示」を無視する。
【００８４】
［処理の流れ］
次に、本実施例１に係るメダル貸しシステムの各種処理の流れを説明する。なお、ここでは、ＣＲパチスロ機４０において遊技状態時に行われる（１）遊技制御処理を説明してから、非遊技状態時に行われる（２）メダル貸し規制処理を説明する。
【００８５】
（１）遊技制御処理
前述したように、ここでは、図６を用いて、実施例１に係るＣＲパチスロ機４０の遊技制御処理を説明する。図６は、実施例１に係るＣＲパチスロ機４０の遊技制御処理の手順を示すフローチャートである。この「遊技制御処理」は、単位遊技（１ゲーム）に必要な枚数のメダルがＢＥＴされた状態でスタートレバー４０２の操作を受け付けた場合（遊技開始条件が満たされた場合）に開始される。
【００８６】
同図に示すように、遊技制御部４８ａは、所定のハードウェア又はソフトウェアを用いて乱数を抽出し、その乱数に該当する内部当選役を決定する「抽選処理」を行う（ステップＳ６０１）とともに、３つのリール４０３〜４０５それぞれをリール駆動部４４を通じて回転駆動させる（ステップＳ６０２）。
【００８７】
続いて、各リールのストップボタン４０６〜４０８の押下操作を受け付けると（ステップＳ６０３肯定）、遊技制御部４８ａは、押下操作を受け付けたストップボタンに対応するリール４０３、４０４又は４０５を停止させる停止制御を行い（ステップＳ６０４）、すべてのリール４０３、４０４及び４０５が停止されるまで（ステップＳ６０５肯定）、上記したステップＳ６０３及びＳ６０４を繰り返し行う。なお、所定期間（例えば、「４０秒」）を過ぎてもストップボタンの押下操作が為されなければ、リール４０３、４０４及び４０５が自動的に停止される。
【００８８】
このとき、３つのリール４０３〜４０５の対象領域に一定の図柄が揃い、入賞役が成立すると（ステップＳ６０６肯定）、遊技制御部４８ａは、払出し表示部４１２に入賞役の種類に応じた払出しメダル枚数を表示させるとともに、この表示された枚数の賞メダルをホッパ駆動部４５ｂを通じてメダルホッパ４５ａから投出させる（ステップＳ６０７）。なお、３つのリール４０３〜４０５の対象領域に一定の図柄が揃わず、入賞役が成立しなかった場合（ステップＳ６０６否定）には、メダルが払い出されることなく、そのまま遊技が終了される。
【００８９】
ここで、現時点でＢＢ作動中フラグ及びＲＢ作動中フラグがＯＦＦ状態であり、かつ今回のゲームにてＢＢ又はＲＢが成立した場合（ステップＳ６０８肯定かつステップＳ６０９肯定）に、遊技制御部４８ａは、記憶部４７におけるＢＢ作動中フラグ又はＲＢ作動中フラグをＯＮ状態に更新し（ステップＳ６１０）、処理を終了する。
【００９０】
一方、現時点でＢＢ作動中フラグ又はＲＢ作動中フラグがＯＮ状態である場合（ステップＳ６０８否定）には、遊技制御部４８ａは、ＢＢ又はＲＢが終了したか否かを判定し（ステップＳ６１１）、その結果、ＢＢ又はＲＢが終了した場合（ステップＳ６１１肯定）には、記憶部４７におけるＢＢ作動中フラグ又はＲＢ作動中フラグをＯＦＦ状態に更新し（ステップＳ６１２）、処理を終了する。
【００９１】
（２）メダル貸し規制処理
続いて、図７を用いて、実施例１に係るＣＲパチスロ機４０のメダル貸し規制処理を説明する。図７は、実施例１に係るＣＲパチスロ機４０のメダル貸し規制処理の手順を示すフローチャートである。この「メダル貸し規制処理」は、ＣＲパチスロ機４０が非遊技状態である場合に行われる処理であり、ＣＲパチスロ機４０が遊技状態に移行するまで再帰的に繰り返し行われる。
【００９２】
同図に示すように、ＣＲユニット３０から「メダル貸し指示」を受け付けた場合（ステップＳ７０１肯定）に、特賞状態可否判定部４８ｂは、記憶部４７に記憶されているＢＢ作動中フラグ又はＲＢ作動中フラグがＯＮ状態であるか否かを判定する（ステップＳ７０２）。
【００９３】
ここで、ＢＢ作動中フラグ及びＲＢ作動中フラグがＯＦＦ状態である場合（ステップＳ７０２肯定）には、貸メダル供与制御部４８ｃは、１度数分の貸メダル「５枚」をホッパ駆動部４５ｂを通じてメダルホッパ４５ａから投出させ（ステップＳ７０３）、ＣＲパチスロ機４０が遊技状態に移行するまで、上記したステップＳ７０１〜Ｓ７０３の処理を繰り返し行う。
【００９４】
また、ＢＢ作動中フラグ又はＲＢ作動中フラグがＯＮ状態である場合（ステップＳ７０２否定）には、貸メダル供与制御部４８ｃは、ＣＲユニット３０からの「メダル貸し指示」を無視し、ＣＲパチスロ機４０が遊技状態に移行するまで、上記したステップＳ７０１〜Ｓ７０２の処理を繰り返し行う。なお、本実施例１では、貸出操作装置５０を通じてメダル貸し要求を受け付けた場合に、貸出操作装置５０がＣＲユニット３０にメダル貸し要求を一旦行ってから、ＣＲパチスロ機４０がＣＲユニット３０からのメダル貸し指示を無視して貸メダルの供与制御を禁止することとしたが、本発明はこれに限定されるものではなく、ＢＢが作動中或いはＲＢが作動中であれば（ＢＢ作動中フラグ又はＲＢ作動中フラグ）、貸しボタンの押下操作を検出するスイッチが非通電状態に置かれ、メダル貸し操作を受け付けてもメダル貸し要求を転送されないように制御してもよい。
【００９５】
上述してきたように、本実施例１に係るメダル貸しシステム３によれば、ＣＲパチスロ機４０が特賞状態であるか否かを判定し、特賞状態であると判定した場合に、ＣＲユニット３０からメダル貸し指示を受け付けても貸メダルの供与制御を禁止する貸出禁止措置を実行するように構成したので、遊技客に借受け意思がない状況下でのメダル貸し操作を無効化することができ、遊技店と遊技客との間でのトラブルを防止することが可能である。
【００９６】
さらに、本実施例１に係るメダル貸しシステム３によれば、メダル貸しを規制するに際して、ＣＲユニット３０からメダル貸し指示を受け付けてもそのメダル貸し指示を無視するように構成したので、ＣＲユニット並びに貸出操作装置のハードウェア構成及びソフトウェア構成を改変することなく、遊技客によるメダル貸し操作を無効化することが可能である。
【実施例２】
【００９７】
次に、実施例２に係るメダル貸しシステムを説明する。なお、以下の実施例２では、実施例１に係るメダル貸しシステム３と相違する点を中心に本実施例２に係るメダル貸しシステム５を説明することとし、実施例１に係るメダル貸しシステム３と同様の構成及び同様の機能を発揮するものについては説明を省略する。
【００９８】
前述したように、ここでは、本実施例２に係るメダル貸しシステム５と実施例１に係るメダル貸しシステム３との相違点を説明する。すなわち、実施例１に係るメダル貸しシステム３では、「メダル貸し操作」に応対しないことでメダル貸し操作を無効化するのに対し、本実施例２に係るメダル貸しシステム５では、メダル貸しを行うために必要な条件が揃わないようにすることでメダル貸し操作を無効化する点が主として相違する。
【００９９】
図８は、実施例２に係るメダル貸しシステム５の特徴を説明するための概念図である。同図に示すように、このメダル貸しシステム５において、ＣＲパチスロ機６０は、当該ＣＲパチスロ機６０が特賞状態であることを検知した場合（実施例１の例を踏襲すれば、ＢＢ作動中フラグ又はＲＢ作動中フラグがＯＮ状態であることを検知した場合）に、ＣＲユニット３０に対して挿入中のプリペイドカードを返却するように指示し（１）、このプリペイドカードの返却指示を受け付けたＣＲユニット３０では、カード挿入口３０８から挿入中のプリペイドカードを返却する（２）。
【０１００】
このように、ＣＲパチスロ機６０が特賞状態である場合に、ＣＲユニット３０に対して挿入中のプリペイドカードを返却するように指示する貸出禁止措置を実行することで、遊技客が特賞により獲得した賞メダルを所持しており、新たにメダルを借り受ける必要がない状況において誤操作によるメダル貸し操作が行われたとしても、メダル貸しと引き換えに得るべき対価がなく、メダル貸しが行われることがないので、遊技客に借受け意思がない状況下でのメダル貸し操作を無効化することができる。
【０１０１】
したがって、本実施例２に係るメダル貸しシステム５によれば、ＣＲパチスロ機６０が特賞状態であるか否かを判定し、特賞状態であると判定した場合に、ＣＲユニット３０に対して挿入中のプリペイドカードを返却するように指示する貸出禁止措置を実行するので、遊技客に借受け意思がない状況下でのメダル貸し操作を無効化することができ、実施例１と同様、遊技店と遊技客との間でのトラブルを防止することが可能になる。
【０１０２】
さらに、本実施例２に係るメダル貸しシステム５によれば、ＣＲパチスロ機６０が特賞状態である場合に、ＣＲユニット３０に挿入中のプリペイドカードを返却させるので、挿入中のプリペイドカードの精算を喚起することができ、プリペイドカードの取り忘れを防止することも可能になる。
【０１０３】
続いて、かかる相違点に伴って、本実施例２に係るメダル貸しシステム５と実施例１に係るメダル貸しシステム３との間で相違する構成を説明する。図９は、実施例２に係るＣＲパチスロ機６０の内部構成を示す機能ブロック図である。同図に示すように、本実施例２に係るメダル貸しシステム５では、ＣＲユニット３０に対して挿入中のプリペイドカードを返却するように指示するカード返却指示部６２がＣＲパチスロ機６０に付加されている点が相違する。
【０１０４】
ここで、かかるカード返却指示部６２の機能がＣＲパチスロ機６０に付加されることに伴い、本実施例２に係るＣＲパチスロ機６０では、非遊技状態における処理動作が実施例１に係るＣＲパチスロ機４０と相違するので、以下では、図１０を用いて、本実施例２に係るＣＲパチスロ機６０のメダル貸し規制処理を説明する。
【０１０５】
図１０は、実施例２に係るＣＲパチスロ機４０のメダル貸し規制処理の手順を示すフローチャートである。この「メダル貸し規制処理」は、遊技制御部４８ａによる「遊技制御処理」が終了した場合に開始される。
【０１０６】
同図に示すように、遊技制御部４８ａにより遊技終了が通知されると（ステップＳ１００１肯定）、特賞状態可否判定部４８ｂは、記憶部４７に記憶されているＢＢ作動中フラグ又はＲＢ作動中フラグがＯＮ状態であるか否かを判定する（ステップＳ１００２）。
【０１０７】
ここで、ＢＢ作動中フラグ又はＲＢ作動中フラグがＯＮ状態である場合（ステップＳ１００２肯定）には、カード返却指示部６２は、ＣＲユニット３０に対して挿入中のプリペイドカードを返却するように指示してから（ステップＳ１００３）、処理を終了し、また、ＢＢ作動中フラグ及びＲＢ作動中フラグがＯＦＦ状態である場合（ステップＳ１００２否定）には、メダル貸しを規制する必要がないのでそのまま処理を終了する。
【０１０８】
上述してきたように、本実施例２に係るメダル貸しシステム５によれば、ＣＲパチスロ機６０が特賞状態であるか否かを判定し、特賞状態であると判定した場合に、ＣＲユニット３０に対して挿入中のプリペイドカードを返却するように指示する貸出禁止措置を実行するように構成したので、遊技客に借受け意思がない状況下でのメダル貸し操作を無効化することができ、遊技店と遊技客との間でのトラブルを防止することが可能である。
【実施例３】
【０１０９】
次に、実施例３に係るメダル貸しシステム７を説明する。なお、以下の実施例３では、実施例１に係るメダル貸しシステム３と相違する点を中心に本実施例３に係るメダル貸しシステム７を説明することとし、実施例１に係るメダル貸しシステム３と同様の構成及び同様の機能を発揮するものについては説明を省略する。
【０１１０】
前述したように、ここでは、本実施例３に係るメダル貸しシステム７と実施例１に係るメダル貸しシステム３との相違点を説明する。すなわち、実施例１に係るメダル貸しシステム３では、ＣＲパチスロ機４０が主体的にメダル貸しを規制するのに対し、本実施例３に係るメダル貸しシステム７では、ＣＲユニット８０が主体的にメダル貸しを規制する点が主として相違する。
【０１１１】
図１１は、実施例３に係るメダル貸しシステム７の特徴を説明するための概念図である。同図に示すように、このメダル貸しシステム７において、ＣＲパチスロ機７０は、当該ＣＲパチスロ機７０が特賞状態であることを検知した場合（実施例１の例を踏襲すれば、ＢＢ作動中フラグ又はＲＢ作動中フラグがＯＮ状態であることを検知した場合）に、特賞パルス出力線を通じて特賞パルスをＣＲユニット８０に出力する（０）。なお、本実施例３では、ＢＢ作動中フラグ又はＲＢ作動中フラグがＯＮ状態であることを一旦検知すると、ＯＮ状態であるＢＢ作動中フラグもしくはＲＢ作動中フラグがＯＦＦ状態に更新されるまで特賞パルスを継続して出力することとする。
【０１１２】
一方、ＣＲユニット８０は、ＣＲパチスロ機７０による特賞パルスの出力を検出している場合には、貸出操作装置５０にて「メダル貸し操作」が受け付けられ（１）、貸出操作装置５０から「メダル貸し要求」が転送されたとしても（２）、その「メダル貸し要求」を無視し、ＣＲパチスロ機７０に対するメダル貸し指示の実行を禁止する（３）。
【０１１３】
したがって、本実施例３に係るメダル貸しシステム７によれば、ＣＲパチスロ機７０が特賞状態であるか否かを判定し、特賞状態であると判定した場合に、ＣＲパチスロ機７０が特賞状態にある旨をＣＲユニット８０に通知し、ＣＲパチスロ機７０の特賞状態が通知された場合に、貸出操作装置５０を通じてメダル貸し操作を受け付けてもメダル貸し指示の実行を禁止する貸出禁止措置を実行することとしたので、遊技客に借受け意思がない状況下でのメダル貸し操作を無効化することができ、実施例１と同様、遊技店と遊技客との間でのトラブルを防止することが可能になる。
【０１１４】
続いて、かかる相違点に伴って、本実施例３に係るメダル貸しシステム７と実施例１に係るメダル貸しシステム３との間で相違する構成を説明する。図１２は、実施例３に係るＣＲユニット８０の内部構成を示す機能ブロック図である。
【０１１５】
同図に示すように、本実施例３に係るメダル貸しシステム７では、ＣＲパチスロ機７０において、特賞状態可否判定部４８ｂによってＢＢ作動中フラグ又はＲＢ作動中フラグがＯＮ状態であることが検知された場合に、特賞パルス出力線を通じて特賞パルスをＣＲユニット８０に出力する特賞パルス出力部７１が付加されるとともに、ＣＲユニット８０において、ＣＲパチスロ機７０によって出力される特賞パルスを制御部８２に入力する特賞パルス入力部８１が付加されている点が相違する。なお、特賞パルスを始め、ＩＮパルスやＯＵＴパルスの各種のパルス信号を遊技台情報として上位装置、いわゆるホールコンピュータ（図示せず）に収集する台情報収集システムが既存技術として存在するが、これらのパルス信号の収集経路にＣＲユニットを経由するものであれば、特賞パルス出力部７１及び特賞パルス入力部８１を新たに設けなくとも既存のものを流用することができる。
【０１１６】
ここで、本実施例３に係るＣＲユニット８０では、かかる特賞パルス入力部８１がＣＲユニット８０に付加されることに伴い、制御部８２におけるメダル貸し処理部８３にてメダル貸しを規制する機能も付加されるので、実施例１に係るＣＲユニット３０と基本制御処理の動作が相違する。これを具体的に説明するために、図１３を用いて、本実施例３に係るＣＲユニット８０の基本制御処理を説明する。
【０１１７】
図１３は、実施例３に係るＣＲユニット８０の基本制御処理の手順を示すフローチャートである。この「基本制御処理」は、ＣＲユニット３０の電源がＯＮ状態である限り、再帰的に行われる処理である。
【０１１８】
同図に示すように、紙幣挿入口３０３より紙幣が挿入されると（ステップＳ１３０１肯定）、メダル貸し処理部８３は、カード収納部３６より新たに発行されるプリペイドカードにＢＶユニット部３４にて判別された挿入紙幣の金額を価値付けた後（ステップＳ１３０２）に、プリペイドカードに価値付けた金額に相当する残度数をＣＲパチスロ機７０に付設される貸出操作装置５０の残度数表示部５０１にて表示させる（ステップＳ１３０３）。なお、当然のことながら、挿入紙幣が偽造紙幣である場合には、かかる「価値付け処理」は行われることなく、挿入紙幣は返却される。
【０１１９】
この場合、当該プリペイドカードの残度数が「０」であることはないので（ステップＳ１３０４肯定）、メダル貸し処理部８３は、貸出操作装置５０にてメダル貸し操作が行われるのを待機する貸出操作受付待機状態に移行する（ステップＳ１３０５）。
【０１２０】
また、カード挿入口３０８よりプリペイドカードが挿入されると（ステップＳ１３０６肯定）、メダル貸し処理部８３は、挿入されたプリペイドカードのプリペイドカードＩＤに対応する残度数をプリペイドカード管理Ｔ／Ｃ１０に問合せ（ステップＳ１３０７）、この問合せにより得られた残度数を貸出操作装置５０の残度数表示部５０１にて表示させる（ステップＳ１３０３）。
【０１２１】
このとき、当該プリペイドカードの残度数が「０」でなければ（ステップＳ１３０４肯定）、メダル貸し処理部８３は、貸出操作装置５０にてメダル貸し操作が行われるのを待機する貸出操作受付待機状態に移行し（ステップＳ１３０５）、また、当該プリペイドカードの残度数が「０」であれば（ステップＳ１３０４否定）、搬送／繰出機構部３７に残度数なしのプリペイドカードをカード収納部３６内部に収納させ（ステップＳ１３０８）、処理を終了する。
【０１２２】
ここで、貸出操作装置５０からメダル貸し要求を受け付けた場合（ステップＳ１３０５肯定）に、特賞パルス入力部８１による特賞パルスの入力を検出していれば（ステップＳ１３０９肯定）、貸出操作装置５０からのメダル貸し要求を無視し、「メダル貸し処理」を行わずに、上記したステップＳ１３０４に戻って繰り返し処理を行う。
【０１２３】
一方、貸出操作装置５０からメダル貸し要求を受け付けた場合（ステップＳ１３０５肯定）に、特賞パルス入力部８１による特賞パルスの入力を検出していなければ（ステップＳ１３０９否定）、メダル貸し処理部８３は、ＣＲユニット７０及びＣＲパチスロ機８０の間で協働して行われる「メダル貸し処理」を行い（ステップＳ１３１０）、このとき、挿入中のプリペイドカードの残度数が「０」になれば（ステップＳ１３０４否定）、搬送／繰出機構部３７に残度数なしのプリペイドカードをカード収納部３６内部に収納させ（ステップＳ１３０８）、処理を終了し、また、挿入中のプリペイドカードの残度数が「０」でなければ（ステップＳ１３０４肯定）、貸出操作受付待機状態に再度移行する（ステップＳ１３０５）。
【０１２４】
また、貸出操作装置５０にて返却ボタン５０３の押下操作を受け付けた場合、すなわちプリペイドカードの返却要求を受け付けた場合（ステップＳ１３１１肯定）に、メダル貸し処理部８３は、搬送／繰出機構部３７に対してプリペイドカードの返却指示を行って当該プリペイドカードをカード挿入口３０８に繰り出させ（ステップＳ１３１２）、処理を終了する。
【０１２５】
上述してきたように、本実施例３に係るメダル貸しシステム７によれば、ＣＲパチスロ機７０が特賞状態であるか否かを判定し、特賞状態であると判定した場合に、ＣＲパチスロ機７０が特賞状態にある旨をＣＲユニット８０に通知し、ＣＲパチスロ機７０の特賞状態が通知された場合に、貸出操作装置５０を通じてメダル貸し操作を受け付けてもメダル貸し指示の実行を禁止する貸出禁止措置を実行するように構成したので、遊技客に借受け意思がない状況下でのメダル貸し操作を無効化することができ、遊技店と遊技客との間でのトラブルを防止することが可能である。
【実施例４】
【０１２６】
次に、実施例４に係るメダル貸しシステムを説明する。なお、以下の実施例４では、実施例３に係るメダル貸しシステム７と相違する点を中心に本実施例４に係るメダル貸しシステム９を説明することとし、実施例３に係るメダル貸しシステム５と同様の構成及び同様の機能を発揮するものについては説明を省略する。
【０１２７】
前述したように、ここでは、本実施例４に係るメダル貸しシステム９と実施例３に係るメダル貸しシステム７との相違点を説明する。すなわち、実施例３に係るメダル貸しシステム９では、「メダル貸し操作」に応対しないことでメダル貸し操作を無効化するのに対し、本実施例４に係るメダル貸しシステム９は、メダル貸しを行うために必要な条件が揃わないようにすることでメダル貸し操作を無効化する点が主として相違する。
【０１２８】
図１４は、実施例４に係るメダル貸しシステム９の特徴を説明するための概念図である。同図に示すように、このメダル貸しシステム９において、ＣＲパチスロ機７０は、当該ＣＲパチスロ機７０が特賞状態であることを検知した場合（実施例３の例を踏襲すれば、ＢＢ作動中フラグ又はＲＢ作動中フラグがＯＮ状態であることを検知した場合）に、特賞パルス出力線を通じて特賞パルスをＣＲユニット９０に出力し（１）、この特賞パルスの出力を検出したＣＲユニット９０では、カード挿入口３０８から挿入中のプリペイドカードを返却する（２）。
【０１２９】
このように、ＣＲパチスロ機７０の特賞状態が通知された場合に、ＣＲユニット９０に挿入中のプリペイドカードを返却する貸出禁止措置を実行することで、遊技客が特賞により獲得した賞メダルを所持しており、新たにメダルを借り受ける必要がない状況において誤操作によるメダル貸し操作が行われたとしても、メダル貸しと引き換えに得るべき対価がなく、メダル貸しが行われることがないので、遊技客に借受け意思がない状況下でのメダル貸し操作を無効化することができる。
【０１３０】
上述してきたように、本実施例４に係るメダル貸しシステム９によれば、ＣＲパチスロ機７０が特賞状態であるか否かを判定し、特賞状態であると判定した場合に、ＣＲパチスロ機７０が特賞状態にある旨をＣＲユニット９０に通知し、ＣＲパチスロ機７０の特賞状態が通知された場合に、ＣＲユニット９０に挿入中のプリペイドカードを返却する貸出禁止措置を実行するように構成したので、遊技客に借受け意思がない状況下でのメダル貸し操作を無効化することができ、実施例３と同様、遊技店と遊技客との間でのトラブルを防止することが可能である。
【０１３１】
さらに、本実施例４に係るメダル貸しシステム９によれば、ＣＲパチスロ機７０の特賞状態が通知された場合に、ＣＲユニット９０に挿入中のプリペイドカードを返却するので、挿入中のプリペイドカードの精算を喚起することができ、プリペイドカードの取り忘れを防止することも可能である。
【実施例５】
【０１３２】
さて、これまで本発明の実施例について説明したが、本発明は上述した実施例以外にも、種々の異なる形態にて実施されてよいものである。そこで、以下では、本発明に含まれる他の実施例を説明する。
【０１３３】
例えば、上記した実施例１〜４では、いずれもＣＲパチスロ機４０、６０及び７０が特賞状態である場合（ＢＢ又はＲＢが作動中である場合）にメダル貸し操作を無効化することとしたが、本発明はこれに限定されるものではなく、遊技客がメダルを所持しており、かつその所持メダルを用いて遊技を継続する蓋然性が高い状況（例えば、ＢＢ終了後又はＲＢ終了後に付与されるチャンスタイムの区間や、ＢＢ終了後又はＲＢ終了後の所定ゲーム数においてボーナス振り分けが優遇される区間など）にメダル貸し操作を無効化することで更なる効果を得ることができる。
【０１３４】
また、上記した実施例１及び３では、貸出操作装置５０を通じてメダル貸し要求を受け付けた場合に、貸出操作装置５０がＣＲユニット３０にメダル貸し要求を一旦行ってから、ＣＲパチスロ機４０がＣＲユニット３０からのメダル貸し指示を無視して貸メダルの供与制御を禁止したり、また、ＣＲユニット３０が貸出操作装置５０からのメダル貸し要求を無視してメダル貸し指示の実行を禁止することで、メダル貸し操作を無効化する実施例を説明したが、本発明はこれに限定されるものではなく、ＣＲパチスロ機４０又は７０においてＢＢ作動中フラグ又はＲＢ作動中フラグがＯＮ状態である場合には、貸出ボタン５０２の押下操作を検出するスイッチを非通電化し、メダル貸し操作を受け付けてもメダル貸し要求がＣＲユニット３０又は８０に転送されないように貸出操作装置５０を制御するようにしてもよい。
【０１３５】
さらに、上記した実施例１では、ＣＲパチスロ機４０がＣＲユニット３０からのメダル貸し指示を無視することで貸メダルの供与制御を禁止することとしたが、必ずしもメダル貸し指示を無視する必要はなく、貸メダルの供与が不可能な旨をＣＲユニット３０に応答するようにしてもよい。
【０１３６】
また、上記した実施例２では、挿入中のプリペイドカードの返却指示をＣＲパチスロ機６０がＣＲユニット３０に直接通知する実施例を説明したが、本発明はこれに限定されるものではなく、貸出操作装置５０を介してプリペイドカードの返却指示を通知するようにしてもよい。
【０１３７】
さらに、上記した実施例２及び実施例４では、ＣＲパチスロ機６０又は７０においてＯＮ状態であるＢＢ作動中フラグ又はＲＢ作動中フラグが再びＯＦＦ状態に更新されるまで、プリペイドカードを受け入れないようにＣＲユニット３０を構成してもよい。
【０１３８】
また、上記した実施例１〜４では、貸出操作装置５０がＣＲパチスロ機４０、６０又は７０に付設された実施例を説明したが、本発明はこれに限定されるものではなく、ＣＲユニット３０、８０又は９０に付設してもよいし、また、ＣＲパチスロ機および／またはＣＲユニットに内蔵するようにしてもよい。
【０１３９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１４０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１４１】
以上のように、本発明に係る遊技媒体貸出システム、遊技機、貸出処理機及び遊技媒体貸出方法は、遊技客に借受け意思がない状況下での遊技媒体の貸出しを規制し、もって遊技店と遊技客との間でのトラブルを防止することができる遊技媒体貸出システム、遊技機、貸出処理機及び遊技媒体貸出方法に適している。
【図面の簡単な説明】
【０１４２】
【図１】実施例１に係る遊技システム１のシステム構成を示すシステム構成図である。
【図２】実施例１に係るメダル貸しシステム３の特徴を説明するための概念図である。
【図３】実施例１に係るＣＲユニット３０及びＣＲパチスロ機４０の外観を示した正面図である。
【図４】図３に示したＣＲユニット３０の内部構成を示す機能ブロック図である。
【図５】図３に示したＣＲパチスロ機４０の内部構成を示す機能ブロック図である。
【図６】実施例１に係るＣＲパチスロ機４０の遊技制御処理の手順を示すフローチャートである。
【図７】実施例１に係るＣＲパチスロ機４０のメダル貸し規制処理の手順を示すフローチャートである。
【図８】実施例２に係るメダル貸しシステム５の特徴を説明するための概念図である。
【図９】実施例２に係るＣＲパチスロ機６０の内部構成を示す機能ブロック図である。
【図１０】実施例２に係るＣＲパチスロ機４０のメダル貸し規制処理の手順を示すフローチャートである。
【図１１】実施例３に係るメダル貸しシステム７の特徴を説明するための概念図である。
【図１２】実施例３に係るＣＲユニット８０の内部構成を示す機能ブロック図である。
【図１３】実施例３に係るＣＲユニット８０の基本制御処理の手順を示すフローチャートである。
【図１４】実施例４に係るメダル貸しシステム９の特徴を説明するための概念図である。
【符号の説明】
【０１４３】
１    遊技システム
３，５，７，９    メダル貸しシステム
１０    プリペイドカード管理Ｔ／Ｃ
２０    島コントローラ
３０，８０，９０    カード処理ユニット（ＣＲユニット）
３１    操作部
３２    表示部
３３    ＩＦ部
３４    ＢＶユニット部
３５    カードリーダ（Ｃ／Ｒ）
３６    カード収納部
３７    搬送／繰出機構部
３８    制御部
３８ａ  メダル貸し処理部
８１    特賞パルス入力部
４０，６０，７０    ＣＲパチスロ機
４１    操作部
４２    表示部
４３    ＩＦ部
４４    リール駆動部
４５ａ  メダルホッパ
４５ｂ  ホッパ駆動部
４６    副制御部
４６ａ  液晶パネル
４６ｂ  スピーカ
４７    記憶部
４８    主制御部
４８ａ  遊技制御部
４８ｂ  特賞状態可否判定部
４８ｃ  貸メダル供与制御部
６２    カード返却指示部
７１    特賞パルス出力部
【図１】
2008104642.tif 000003
【図２】
2008104642.tif 000004
【図３】
2008104642.tif 000005
【図４】
2008104642.tif 000006
【図５】
2008104642.tif 000007
【図６】
2008104642.tif 000008
【図７】
2008104642.tif 000009
【図８】
2008104642.tif 000010
【図９】
2008104642.tif 000011
【図１０】
2008104642.tif 000012
【図１１】
2008104642.tif 000013
【図１２】
2008104642.tif 000014
【図１３】
2008104642.tif 000015
【図１４】
2008104642.tif 000016